(57)【要約】      （修正有）【課題】燃料がタンク外に漏れることを防止する自動二輪車用燃料タンクキャップを提供する。【解決手段】本キャップは、燃料タンクの注油口に装着されるキャップ本体２と、該キャップ本体２から延びるチェーン３の下端側に連結され燃料に浮かぶフロートとを備え、キャップ本体２は、燃料タンク外に連通する通気孔１９と、燃料タンク内に連通しチェーン３が導入されるチェーン導入孔２０とが設けられた本体ケース１１を備えるとともに、燃料タンク内の高さをチェーン３を介して検知し表示する表示部１４を備え、チェーン３には燃料タンク側にチェーン導入孔２０を塞ぐことが可能な弁１５が取り付けられており、弁１５はフロートの高さが所定レベルよりも高くなると、チェーン３が本体ケース内に引き込まれることによりチェーン導入孔２０を塞ぎ、該所定レベルよりも低くなるとフロートの重量によりチェーン３が引き出されることによりチェーン導入孔２０を開く。【選択図】図３
0003149975.tif 000002
【実用新案登録請求の範囲】
【請求項１】
自動二輪車の燃料タンクの注油口に装着されるキャップ本体と、該キャップ本体から延びるチェーンの下端側に連結され燃料に浮かぶフロートとを備え、
前記キャップ本体は、前記燃料タンクの外部に連通する通気孔と、前記燃料タンクの内部に連通し前記チェーンの上端側が導入されるチェーン導入孔とが設けられた本体ケースを備え、
該本体ケースには、中心軸が回動可能に支持されるとともに前記チェーンの上端側が外周部に連結された円筒状の回動体と、該回動体がその外周に前記チェーンを巻き取るように、該回動体を一回動方向に付勢する付勢手段と、前記回動体の回動位置に応じて燃料タンク内の燃料の残量を表示する表示部とが内蔵され、
前記チェーンには、前記チェーン導入孔よりも燃料タンク側に、前記チェーン導入孔を塞ぐことが可能な弁が取り付けられており、
前記弁は、前記燃料タンク内における前記フロートの高さが所定レベルよりも高くなると、前記回動体により前記チェーンが前記本体ケース内に引き込まれることによって前記チェーン導入孔を塞ぎ、該所定レベルよりも低くなると、前記フロートの重量により前記チェーンが前記回動体から引き出されることによって前記チェーン導入孔を開くように構成された自動二輪車用の燃料タンクキャップ。
【請求項２】
前記弁は、弾性材料からなる請求項１記載の自動二輪車用の燃料タンクキャップ。
【請求項３】
前記弁における前記チェーン導入孔の開口に対峙する部位は、該開口から遠ざかるほど前記チェーンを中心として拡径するテーパー状に形成された請求項１又は２記載の自動二輪車用の燃料タンクキャップ。
【請求項４】
前記チェーンに対する前記弁の取付位置は、前記チェーンの長さ方向に調節可能に構成された請求項１〜３のいずれか一項に記載の自動二輪車用の燃料タンクキャップ。
【請求項５】
前記表示部は、前記回動体の中心軸上に取り付けられた指針により燃料の残量を表示するように構成された請求項１〜４のいずれか一項に記載の自動二輪車用の燃料タンクキャップ。
【請求項６】
前記表示部は、前記回動体の回動位置に応じて燃料タンク内の燃料の残量を数値表示するように構成された請求項１〜４のいずれか一項に記載の自動二輪車用の燃料タンクキャップ。
【請求項７】
前記表示部は、前記回動体の回動位置に応じて燃料タンク内の燃料の残量をバーグラフ状のメータで表示するように構成された請求項１〜４のいずれか一項に記載の自動二輪車用の燃料タンクキャップ。
【考案の詳細な説明】
【技術分野】
【０００１】
本考案は、燃料タンク内の燃料の残量を表示する機能を備えた自動二輪車用の燃料タンクキャップに関するものである。
【背景技術】
【０００２】
背景技術としては、特許文献１に記載されたウォッシャタンク内の液量確認装置を例示する。この液量確認装置は、キャップ１０６に、ウォッシャタンク１０１の内外を連通する連通孔１０７を形成し、連通孔１０７にウォッシャ液１０４に浮く軸状のフロート１０９を上下動可能に挿通し、キャップ１０６に連通孔１０７を開閉するサブキャップ１１６を設けている。サブキャップ１１６を開けると、フロート１０９は浮力によって浮き上がってその上端側が連通孔１０７から突出する。フロート１０９の連通孔１０７からのフロート１０９の突出長さを確認することにより、ウォッシャ液１０４の残量を確認できるようにしている。
【先行技術文献】
【特許文献】
【０００３】
【特許文献１】特開平７−１４１１４９号公報
【考案の概要】
【考案が解決しようとする課題】
【０００４】
ところが、従来技術では、サブキャップ１１６を開かないと、液１０４の残量を確認できないという課題がある。そこで、サブキャップ１１６を省くことも考えられるが、そうすると、タンク１０１が液１０４で満杯になっている状態のときに、タンク１０１が傾いたり、タンク１０１に衝撃が加わったりすると、キャップ１０６の連通孔１０７から液１０４が漏れる可能性がある。
【課題を解決するための手段】
【０００５】
上記目的を達成するために、第１の考案の自動二輪車用の燃料タンクキャップは、
自動二輪車の燃料タンクの注油口に装着されるキャップ本体と、該キャップ本体から延びるチェーンの下端側に連結され燃料に浮かぶフロートとを備え、
前記キャップ本体は、前記燃料タンクの外部に連通する通気孔と、前記燃料タンクの内部に連通し前記チェーンの上端側が導入されるチェーン導入孔とが設けられた本体ケースを備え、
該本体ケースには、中心軸が回動可能に支持されるとともに前記チェーンの上端側が外周部に連結された円筒状の回動体と、該回動体がその外周に前記チェーンを巻き取るように、該回動体を一回動方向に付勢する付勢手段と、前記回動体の回動位置に応じて燃料タンク内の燃料の残量を表示する表示部とが内蔵され、
前記チェーンには、前記チェーン導入孔よりも燃料タンク側に、前記チェーン導入孔を塞ぐことが可能な弁が取り付けられており、
前記弁は、前記燃料タンク内における前記フロートの高さが所定レベルよりも高くなると、前記回動体により前記チェーンが前記本体ケース内に引き込まれることによって前記チェーン導入孔を塞ぎ、該所定レベルよりも低くなると、前記フロートの重量により前記チェーンが前記回動体から引き出されることによって前記チェーン導入孔を開くように構成されている。
【０００６】
この構成によれば、燃料タンク内の燃料がある一定量を超えることにより、前記燃料タンク内における前記フロートの高さが所定レベルよりも高くなると、前記弁が前記チェーン導入孔を塞ぐように構成されているので、燃料タンクが傾いたり、燃料タンクに衝撃が加わったりしたときに、前記チェーン導入孔から本体ケース内に燃料が漏れたり、さらに本体ケース内に漏れた燃料が前記通気孔から燃料タンク外に漏れたりすることを防止することができる。
【０００７】
第２の考案の自動二輪車用の燃料タンクキャップとしては、前記第１の考案において、
前記弁は、弾性材料からなる態様を例示する。
【０００８】
この構成によれば、前記弁が弾性変形することにより、前記チェーン導入孔に密着し、該導入孔を隙間なく塞ぐようにすることができる。
【０００９】
第３の考案の自動二輪車用の燃料タンクキャップとしては、前記第１の考案において、
前記弁における前記チェーン導入孔の開口に対峙する部位は、該開口から遠ざかるほど前記チェーンを中心として拡径するテーパー状に形成された請求項１又は２記載の自動二輪車用の燃料タンクキャップ。
【００１０】
この構成によれば、前記弁の前記チェーン導入孔の開口に対峙する部位が、前記チェーン導入孔に嵌り込みやすくすることができる。
【００１１】
第４の考案の自動二輪車用の燃料タンクキャップとしては、前記第１の考案において、
前記チェーンに対する前記弁の取付位置は、前記チェーンの長さ方向に調節可能に構成された請求項１〜３のいずれか一項に記載の自動二輪車用の燃料タンクキャップ。
【００１２】
この構成によれば、前記所定レベル（前記弁が前記チェーン導入孔を塞ぐときの前記燃料タンク内における前記フロートの高さ）を装着する各種の燃料タンクに応じて適宜調節することができる。
【００１３】
また、前記第１〜４のいずれかの考案において、前記表示部としては、各種表示態様を適宜採用することができるが、次の態様を例示する。
（１）前記回動体の中心軸上に取り付けられた指針により燃料の残量を表示するように構成された態様。
（２）前記回動体の回動位置に応じて燃料タンク内の燃料の残量を数値表示するように構成された態様。
（３）前記回動体の回動位置に応じて燃料タンク内の燃料の残量をバーグラフ状のメータで表示するように構成された態様。
【考案の効果】
【００１４】
本考案に係る自動二輪車用の燃料タンクキャップによれば、燃料タンク内の燃料がある一定量を超えた状態において、燃料タンクが傾いたり、燃料タンクに衝撃が加わったりしたときに、燃料が燃料タンク外に漏れることを防止することができるという優れた効果を奏する。
【図面の簡単な説明】
【００１５】
【図１】本考案を具体化した一実施形態に係る自動二輪車用の燃料タンクキャップの平面図である。
【図２】同燃料タンクキャップの要部の平面図である。
【図３】図２のＩＩＩ−ＩＩＩ線断面図である。
【図４】図３の要部を分解した状態を示す縦断面図である。
【図５】同燃料タンクキャップの使用状態における動作を示す正面図である。
【図６】背景技術としてのウォッシャタンク内の液量確認装置を示す縦断面図である。
【考案を実施するための形態】
【００１６】
図１〜図５は本考案を具体化した一実施形態の自動二輪車用の燃料タンクキャップ１を示している。図１〜４に示すように、この燃料タンクキャップ１は、自動二輪車の燃料タンク１０の注油口１０ａに装着されるキャップ本体２と、該キャップ本体２から延びるチェーン３の下端側に連結され燃料に浮かぶフロート４とを備えている。
【００１７】
キャップ本体２は、燃料タンク１０の外部に連通する通気孔１９と、燃料タンク１０の内部に連通しチェーン３の上端側が導入されるチェーン導入孔２０とが設けられた本体ケース１１と、注油口１０ａ及び本体ケース１１の間をシールするシール部１７とを備えている。本体ケース１１は、透明に形成された蓋状のケース上部１１ａと、受け皿状のケース下部１１ｂとからなっている。ケース上部１１ａと、ケース下部１１ｂとの間は、目盛板１８の外周縁に装着されたシール部材１８ａによりシールされるようになっている。
【００１８】
該本体ケース１１には、中心軸１２ａが回動可能に支持されるとともにチェーン３の上端側が外周部に連結された円筒状の回動体１２と、該回動体１２がその外周にチェーン３を巻き取るように、該回動体１２を一回動方向（本例では、図２に二点鎖線で示す矢印の方向）に付勢する付勢手段１３と、回動体１２の回動位置に応じて燃料タンク１０内の燃料Ｆの残量を表示する表示部１４とが内蔵されている。
【００１９】
チェーン３には、チェーン導入孔２０よりも燃料タンク１０側に、チェーン導入孔２０を塞ぐことが可能な弁１５が取り付けられている。
【００２０】
弁１５は、弾性材料からなっており、そのチェーン導入孔２０の開口に対峙する部位１５ａは、該開口から遠ざかるほどチェーン３を中心として拡径するテーパー状に形成されている。チェーン３に対する弁１５の取付位置は、チェーン３に沿って弁１５をずらせるようにすることにより、チェーン３の長さ方向に調節可能に構成されている。
【００２１】
表示部１４は、ケース上部１１ａ及びケース下部１１ｂの間に介装される目盛板１８と、回動体１２の中心軸１２ａ上に取り付けられた指針１６とにより燃料Ｆの残量を表示するように構成されている。
【００２２】
図５は、本例の燃料タンクキャップの使用状態における動作を示している。同図（ａ）に示すように、燃料タンク１０内におけるフロート４の高さが所定レベルＬよりも高くなると、回動体１２によりチェーン３が本体ケース内に引き込まれることによって弁１５がチェーン導入孔２０を塞ぐ。ここで、この状態において、燃料Ｆが使用されると、燃料タンク１０内が負圧になり、弁１５が開き、通気孔１９、本体ケース１１内、チェーン導入孔２０を経由して外気が燃料タンク１０内に取り込まれるようになっている。また、同図（ｂ）に示すように、該所定レベルＬよりも低くなると、フロート４の重量によりチェーン３が回動体１２から引き出されることによって弁１５がチェーン導入孔２０を開くように構成されている。
【００２３】
以上のように構成された本例の燃料タンクキャップ１によれば、燃料タンク１０内の燃料がある一定量を超えることにより、燃料タンク１０内におけるフロート４の高さが所定レベルＬよりも高くなると、弁１５がチェーン導入孔２０を塞ぐように構成されているので、燃料タンク１０が傾いたり、燃料タンク１０に衝撃が加わったりしたときに、チェーン導入孔２０から本体ケース１１内に燃料が漏れたり、さらに本体ケース１１内に漏れた燃料が通気孔１９から燃料タンク１０外に漏れたりすることを防止することができる。
【００２４】
また、弁１５は、弾性材料からなっているので、弾性変形することにより、チェーン導入孔２０に密着し、該チェーン導入孔２０を隙間なく塞ぐようにすることができる。
【００２５】
また、弁１５におけるチェーン導入孔２０の開口に対峙する部位１５ａは、該開口から遠ざかるほどチェーン３を中心として拡径するテーパー状に形成されているので、該開口に対峙する部位１５ａが、チェーン導入孔２０に嵌り込みやすくすることができる。
【００２６】
また、チェーン３に対する弁１５の取付位置は、チェーン３の長さ方向に調節可能に構成されているので、所定レベルＬ（弁１５がチェーン導入孔２０を塞ぐときの燃料タンク１０内におけるフロート４の高さ）を装着する各種の燃料タンク１０に応じて適宜調節することができる。
【００２７】
なお、本考案は前記実施形態に限定されるものではなく、例えば以下のように、考案の趣旨から逸脱しない範囲で適宜変更して具体化することもできる。
（１）表示部１４は、回動体１２の回動位置に応じて燃料タンク１０内の燃料Ｆの残量を数値表示するように構成された態様とすること。
（２）表示部１４は、回動体１２の回動位置に応じて燃料タンク１０内の燃料Ｆの残量をバーグラフ状のメータで表示するように構成された態様とすること。
【符号の説明】
【００２８】
１    燃料タンクキャップ
２    キャップ本体
３    チェーン
４    フロート
１０    燃料タンク
１０ａ  注油口
１１    本体ケース
１１ｂ  ケース下部
１１ａ  ケース上部
１２    回動体
１２ａ  中心軸
１３    付勢手段
１４    表示部
１５    弁
１５ａ  チェーン導入孔に対峙する部位
１６    指針
１７    シール部
１８    目盛板
１９    通気孔
２０    チェーン導入孔
Ｆ      燃料
Ｌ      所定レベル
【図１】
0003149975.tif 000003
【図２】
0003149975.tif 000004
【図３】
0003149975.tif 000005
【図４】
0003149975.tif 000006
【図５】
0003149975.tif 000007
【図６】
0003149975.tif 000008